(57)【特許請求の範囲】
【請求項１】
媒体に媒体圧力を与える手段として絞り出しボトル、又はポンプ操作のために第１のケーシング部分が第２のケーシング部分に関して軸方向に変位可能になっているポンプを有し、さらに、次の構成を有する媒体用のディスペンサ
１．１  吐出本体（４）と、
１．２  その上に設けられた吐出接続部（６）と、
１．２．１  それが、露出端壁（２０、４１）から自由に突き出ていることと、
１．３  吐出接続部（６）を横断する媒体用の出口ダクト（２８）のノズルダクト（８）と、
１．４  ノズルダクト（８）の外端によって形成された媒体出口（７）と、
１．５  出口ダクト（２８）によって決定される流れ方向（４０）と、
１．６  弁（１０）と、
１．６．１  その弁座（５１）が、ノズルダクト（８）の内端に配置されていることと、
１．６．２  その可動式の弁本体（５０）が、支持体（５）上に可動に設けられていて、制御装置（１８）が付設されていることと、
１．７  制御装置（１８）が、流れ方向（４０）において吐出接続部（６）内に挿入されていることと、
１．８  弁バネ（３７）が、弁（１０）をノズルダクト（８）の方向に付勢していることと、
１．９  制御装置（１８）が制御用チャンバ（３２）を有することと、
１．９．１  それが、前記媒体圧力によって作動するピストン（５２）と密閉リップによって密閉されていることと、
１．９．２  それが、制御用チャンバ・ジャケット（３４）により画成されていることと、
１．９．３  それが、ケーシング・ジャケット（３３）内に放射方向のスペースを有するように配置されていることと、
１．９．４  その放射方向のスペースが、出口ダクト（２８）に出る媒体案内接続ダクト（３８）を形成すること。
【請求項２】
制御装置（１８）は、流れ方向（４０）において閉鎖し且つ弁本体（５０）と共に１つの部品として構成される弁本体のための弁バネ（３７）を含んでおり、詳細には、弁本体（５０）は、前壁部を形成する露出端壁（４１）の下流の長楕円形吐出スタッド（６）を少なくとも部分的に横断してコア軸（２６）の端部によって形成され、軸（２６）の上流端部は、弁バネ（３７）に対して直接に接続されるように成し、弁バネ（３７）は、変形可能な圧力ボックスを画成するように成した、請求項１に記載のディスペンサ。
【請求項３】
支持体（５）は、吐出本体（４）の中においてスナップ接続部（４８）によって位置固定されるように成し、詳細には、支持体（５）は、スナップ作用部材として、吐出ダクト（２８）を離れて環状に取り囲むスナップビードを有するように成した、請求項１又は２に記載のディスペンサ。
【請求項４】
支持体（５）は、流れ方向（４０）に直交して方向付けられ且つ弁本体（５０）に関して半径方向に突出するプレート（２０）を有し、プレート（２０）は、露出端壁（４１）に直接に隣接して配置されるように成した請求項１〜３のいずれか１項に記載のディスペンサ。
【請求項５】
弁座（５１）は、支持体（５）と共に吐出スタッド（６）の中に配置されるように成し、詳細には、弁座（５１）は、吐出スタッド（６）の中に挿入されるコア・スリーブ（２５）の端部に設けられ、且つ離間する間隙を備えて弁座（５１）の上流の弁本体（５０）を狭隘に取り囲むように成した、請求項１〜４のいずれか１項に記載のディスペンサ。
【請求項６】
支持体（５）は、第２出口ダクト（２９）を画成し、詳細には、第２出口ダクト（２９）は、第１出口ダクト（２８）から独立して、噴霧ノズルを形成するノズルダクト（８）及び弁座（５１）の間において、吐出スタッド（６）を完全に横断し、第２出口ダクト（２９）は、混合チャンバの中に配給するように成した、請求項１〜５のいずれか１項に記載のディスペンサ。
【請求項７】
支持体（５）は、流れ方向（４０）とは逆方向に自由に突出する接続部（２１，２２）を有するように成し、詳細には、接続部（２１，２２）は、出口ダクト（２８，４７）を画成し且つ下流方向において露出端壁（２０，４１）に接続するように成し、第１接続部（２１）は、弁本体（５０）を担持する弁（１０）の弁タペット（２６）を受容し、第２接続部（２２）は、第２媒体のための圧力チャンバ（１２）に対して接続され、前記圧力チャンバ（１２）を媒体出口（７）に対して接続するように成した、請求項１〜６のいずれか１項に記載のディスペンサ。
【請求項８】
媒体及び第２媒体のための２つの別個の貯蔵チャンバ（１１，１２）は、媒体出口（７）に対して入れ子状に納められ接続されるように成し、詳細には、第１貯蔵チャンバ（１１）は、ディスペンサ・ベース（２）によって形成され、第２貯蔵チャンバ（１２）は、支持体（５）によってベース（２）の上に固定されるスラック・バッグ（４６）によって形成されるように成し、ベース（２）は、容器と、弁バネ（３７）に係合する第１容器開口において、支持体（５）の第１固定部材（２１）と共に、容器開口を閉鎖し、更に第２貯蔵チャンバ（１２）のネック（１９）及び支持体（５）の第２固定部材（２２）に係合する第２容器開口においても容器開口を閉鎖する容器カバーとして構成される吐出本体（４）とを含んで成るように成した、請求項１〜７のいずれか１項に記載のディスペンサ。
【請求項９】
２本の出口ダクト（２８，２９）に関しては、確実に相互接続されて弁本体を包含することになる独立した第１及び第２のクロージャ部材（５０，５３）が設けられ、弁本体（５０，５３）は、互いの中にほぼ同軸的に配置されるように成し、クロージャは、スライド弁として構成され、付随の弁本体（５３）は、ピストン・リップによって形成されるように成した、請求項１〜８のいずれか１項に記載のディスペンサ。
【請求項１０】
媒体出口（７）に接続される貯蔵チャンバ（１２）は、開口部の中に配給する入口弁（４３）に対して接続され、詳細には、入口弁（４３）の可動式弁本体（４５）は、支持体（５）及び／又は吐出本体（４）の傍らの弁座によって形成されるように成し、支持体（５）は、一方のプレート側面に向かってのみ容器（３）の中へ突出する部材（２１，２２）を固定する支持体プレート（２０）から軸方向に見て容器（３）を実質的に覆う支持体プレート（２０）と、もう一方のプレート側面に対して吐出スタッド（６）の中へ突出するコア・スリーブ（２５）とを包含するように成し、弁座（５１）及び出口弁（１０）の弁バネ（３７）は、スナップ接続によって相互接続されるように成した、請求項１〜９のいずれか１項に記載のディスペンサ。
【請求項１１】
媒体のための少なくとも１つの貯蔵チャンバ（１１，１２）は、絞り出し容器（３）によって形成されるように成し、詳細には、絞り出し容器は、本来的に安定した吐出本体（４）から離間した位置においてのみ手動圧縮によって弾力的に変形可能であるように成した、請求項１〜１０のいずれか１項に記載のディスペンサ。
【発明の詳細な説明】
【０００１】
【発明の属する技術分野】
本発明は、吐出装置としてのディスペンサに関するものであり、詳細には、ディスペンサから分離されていて、好適には、媒体出口の近傍において細かく噴霧される形態であって、開口部の中へ吐出され得るように成した、液体、ゼラチン状、糊状、ガス状、及び／又は微粉状の媒体の圧力支援式配給に関する。当該媒体は、技術用途、化粧用途、或いは、例えば鼻、眼、咽喉、皮膚などの治療に関する医療用途のためのものとして意図され得るものである。
【０００２】
【従来の技術】
媒体は、特には、バクテリア、胞子などによる汚染を通じて、即ち、大気との接触によって、しばしば容易に腐敗しやすいものであり、充填された吐出装置の長期保管を許容するためには、そこに防腐剤などが添加されなければならない。
【０００３】
【発明が解決しようとする課題】
本発明の課題は、既知の構造即ち説明した形式の構造に関する欠陥を回避する媒体ディスペンサであって、詳細には、非作動状態において吐出装置の中に封入された媒体が大気と接触することを単純な様式及び容易な組立体によって防止するように成した、媒体ディスペンサを提供することである。
【０００４】
【課題を解決するための手段】
本発明の解決手段は、請求項１〜１１のいずれかに記載のディスペンサである。
【０００５】
【発明の実施の形態】
本発明に拠れば、弁装置即ちクロージャ装置は、流れ方向において吐出接続部の中に配置される。
【０００６】
本発明に従った構造は、媒体の貯蔵チャンバが手で握ることによって容積圧縮されるように成した絞り出しボトルに適している。貯蔵チャンバが、例えば貯蔵チャンバの容積が注がれるにつれて減少するような充填状態から独立して、常に媒体で完全に充填されているように成した手段が設けられる。
【０００７】
軸方向において、吐出接続部は、互いに直角を為す１つ又は２つの軸方向平面内における前壁部に関して引っ込められることが可能であり、何れかの側面において、吐出装置の軸方向操作及び短縮化のためのフィンガ圧力表面を形成する。ディスペンサは、スラストピストン・ポンプのような１つ又はそれ以上の吐出ポンプを有することが可能である。復帰ストローク媒体は、狭められるべきその圧力帯域即ちポンプ帯域即ちチャンバの中へ吸い込まれ得ることになる。同時に手動で操作され得るポンプの１つの圧力帯域は、噴霧ガスを配給することが可能であり、もう１つのポンプ帯域は、非ガス状の媒体を実質的に同時に配給することも可能であり、例えば粘性が高い媒体などを噴霧形態で吐出する。２つのクロージャは、相互に時間遅延される様式において、開放及び／又は閉鎖することが可能である。圧力帯域即ちポンプ帯域は、更に、貯蔵された吐出装置の媒体容積のすべてを内包することも可能であり、プランジャに面する入口弁を有する代わりに、圧力チャンバ・ベースの形態にある永続的クロージャを有することも可能である。
【０００８】
これらの特徴及びその他の特徴は、請求項、説明及び図面から収集され得るものであり、それらの個別的な特徴は、単独であるか又は副次的な組合せの形態の何れかに従って、本発明の実施例において更にその他の分野においても実行されることが可能であり、本文において保護が請求されることになる有益且つ独立して保護可能な構造を構成することも可能である。
【０００９】
【実施例】
本発明の実施例は、図面で示されるものであり、以下で説明されることになる。
【００１０】
図１又は図５に拠れば、ディスペンサ１は、最外部のケーシングとして本来的に安定しているか又は弾力的であるベース２を有する。それは、容器３と、軸方向においては同じ外部形状を有するが、容器３よりも遥かに短いカバー４とを含んで成る。ケーシング部分３，４の間には、完全に被包された形態で支持体装置５が設けられ、この支持体装置は、ケーシング部分３又は４に関して半径方向及び軸方向の固定的様式で固定されるものであり、後者と同様に本来的に安定している。スラストピストン・ポンプがケーシング部分３に面するそのケーシングによって固定されるならば、ケーシング部分４は、任意に装置５と共に、ポンプ操作のためにケーシング部分３に関して軸方向に変位可能なものとなり、プランジャを担持することになる。鼻孔の中へ導入するために適した接続部６は、カバー４の外側の上において軸方向に突出し、その端面において、１mm又は０．５mm以下の直径を備えた媒体出口７又は単一の出口ポート８を内包する。クロージャ即ち弁１０は、開口部８の前に２，１又は０．５mm以下の間隙を備えて機能し、外部雰囲気に関する気密様式で装置１の非作動状態におけるケーシング２の内部を密閉し、媒体吐出の間にのみ開放される。それらの手段６，８及び１０は、ケーシング２の中心軸に関して側方に変位した軸線９の中に配置される。
【００１１】
ケーシング２の内部は、互いに関して且つ外部雰囲気に関して緊密に閉鎖されるように成した、２つの第１及び第２の貯蔵チャンバ１１，１２を内包する。貯蔵チャンバ１２は、完全にチャンバ１１の内部に配置される。ケーシング２，３は、閉鎖底部１４から遮断カバー壁部１５まで、軸方向において伸長される扁平卵型であり且つ可撓的に変形可能であるように成した、最外部のジャケット１３を有する。チャンバ１１又は１２の容積は、ジャケット１３の半径方向圧縮によって狭められることが可能である。２つの隣接する軸方向に平行な接続部１６，１７は、チャンバ１１，１２の独立した充填又は流出のために端壁部１５から突出し、接続部１６は、制御装置１８を内包することが可能である。接続部１７は、チャンバ１２の中空ネック１９を内包する。接続部１６の自由端面と同様に、装置１８，１９は、装置５のプレート２０の内側に隣接するものであり、ネック１９の端部カラーは、それと共に接続部１７に対して密閉固定される。２つのスリーブ状の固定手段２１，２２は、プレート２０から内側方向に突出するものであり、その一方は、接続部１６と装置１８の間において半径方向に支持される様式で係合する。もう一方は、ネック１９の内周の拡がった部分の中に嵌合し、接続部１７に対して後者を半径方向に支持する。
【００１２】
突出部６は、単一断片としてケーシング２，４に接続される最外部のジャケット２３を有し、その外側の幅の少なくとも２倍の大きさの長さを有する。その自由端部において、ジャケット２３は、単一断片として円盤状前壁部２９の中に挿入され、それを貫通するノズルダクト８を境界設定する。前記ダクトは、内側端部において、拡がった円錐形の閉鎖部即ち弁１０の弁座を形成することが可能である。容器３に対して開口する接続ケーシング２３の内部には、コア・スリーブ２５が固定され、後者の中には、軸方向に変位可能に配列されるコア軸２６が固定される。スリーブ２５は、前壁部２４に直接に隣接して円盤状前壁部を有し、この円盤状前壁部は、噴霧に先行するノズル２７をその自由端部に形成し、その自由端部からはチャンバ１１の媒体のみが、霧状化を伴って通過し、その結果、ノズルダクトを介して流れ、続いて、開口部８の境界縁部からの離脱及びディスペンサ１からの離脱において更に細かく霧状化される。
【００１３】
軸２６の外周及びスリーブ２５は、断面が環状の出口ダクト２８を境界設定し、このダクトは、代替的には個別的な軸方向ダクトに細分されることも可能であり、それは、チャンバ１１を開口部８，２７に対して接続するものであり、弁１０によって閉鎖されることが可能である。スリーブ２５及びケーシング２３，２４の内面は、ダクト２８を取り囲む少なくとも１本の第２の出口ダクト２９を形成し、このダクトは、チャンバ１２をノズル８，２７に対して接続するものであり、前壁部の前面の間において軸線９に向かって案内されるものを開口部２７において且つノズルダクト８の内側端部において流出させる。この混合領域において、ノズル２７から流出するその媒体は、第２媒体ガス又はより微細な霧状化の目的のための空気として混合される。出口ダクト２９の半径方向部分は、捻じり装置を形成することも可能であり、ガスは、それによってノズル軸の廻りを回転させられ、このようにしてノズルに供給されることになる。スリーブ２５は、支持体５又はプレート２０の固定式の単一断片要素であり、その上においてのみ外部に向かって突出する。
【００１４】
プレート２０から分離した装置１８の支持体ケーシング３０は、本体２０の内側の上において且つ接続部１６の中へ突出する。ケーシング３０内部の半径方向間隙には制御ケーシング３１が設けられ、そのジャケット３４及び底部３５は、ジャケット３３及びケーシング３０の底部と共に単一断片として構成され、固定的様式で接続される。壁部３３，３４，３５は、部材２０，２１，２６から独立した単一断片要素によって形成され、部材２１の中に固定される。開口部８に向かって案内されるその開放外側端部において、ジャケット３４は、カバーによって永続的に緊密に密閉され、ジャケット３４内への固定的様式で保持部３６と係合する。
【００１５】
キャップ状カバーの前壁部は、軸方向に可動である弾力的な中間部分３７を弁バネとして形成し、これは、プレート２０の内側に直接に隣接する部材２６，２１，３３の内部において単一断片として軸２６の内側端部に対して接続される。軸２６の端から端まで一定の幅は、すべての位置において凸部分３７より遥かに小さいものであり、その凸部分は、制御帯域３２を緊密に密閉するものであり、後者の中心に向かって軸方向に移動され弁１０を開放する。
【００１６】
ケーシング３０，３１の間には、底部３５から外へ出る出口ダクト２８の接続チャネル３８が画成される。チャネル３８は、ケーシング３０，３１の軸線９の廻りにおけるジャケット３３，３４の間において底部３５を横断する接続開口部３９から外へ出る。チャネル３８は、出口ダクト２８の中へ直接に配給する。ダクト２８に比べて、チャネル３８は、流れ断面が大きく拡がった圧力帯域を形成する。媒体がチャンバ１１から帯域３８の中へ押し出されると、部分３７は、プランジャ又はピストンとして機能し、そのバネ張力に対抗して底部３５に向かって軸２６と共に移動され、前記バネ張力によって閉鎖位置へ戻される。吐出ダクト２８又は２９は、チャネル３８，３９の流れ断面に比べて数倍拡大される毛管ダクトである。帯域３２内における流れ断面を狭めると、そのガス圧力が高められ、これが弾性バネ張力を引き起こすことになり、或いはその弾性バネ張力を調節することも可能になる。部分２６，３７の開放運動は、ダクト２８，２９又は開口部８，２７の中における流れ方向４０に対向するものである。
【００１７】
カバー４は、最外部の前壁部４１と、そこからチャンバ１１に向かって突出するジャケット４２とを有するものであり、外側へ向かう方向において前壁部１５まで容器３の狭まった端部の上に突出するので、その中には、接続部１６，１７，１９，２１，２２，プレート２０及びケーシング３０，３１が完全に配置される。プレート２０の外側は、壁部４１の内側に対して張力が掛けられ、それと共にサンドイッチプレート２０，４１を形成する。支持体５，２０は、その上への即ち容器３の上へのカバー４の装着に先立って固定して組立られ得るものであり、カバー４は、その後、ネック１９を備えたチャンバ１２が前もって接続部１７を介して挿入された後に、容器３の上に配置されることが可能である。ケーシング３０，３１及び軸２６の事前組立ユニットは、支持体２０の組立の前又は後において、カバー４に対して固定されることが可能である。適切には、先ずチャンバ１２が挿入され、続いて、任意に支持体５が装着され、その後、カバー４が装着されることになる。
【００１８】
チャンバ１２は、部材２２の内部において壁部４１の内側に配置される入口弁４３を介して外部雰囲気に対して線接続される。壁部４１は、圧力従属可動式の弁本体４５によって開閉され得る入口４４を有する。フラップ状の弁本体４５は、支持体５，２０と共に単一断片として構成され、バネ張力に対抗する関節結合的な様式で開放目的のために運動可能なものである。弁本体４５は、プレート２０の平面内に配置される。チャンバ１２は、可撓性が高くて折畳み可能な極く薄いフィルムで形成されるバッグ４６によって画成され、ネック１９内におけるその材料容積に対して損傷なしで押し込まれ得ることになり、従って、容器３の中へ容易に挿入されることも可能である。そのフィルムに比べて、ネック１９は、遥かに大きな壁厚さを有するものであり、バッグ４６と共に単一断片として構成されることが可能である。弁４３に隣接する接続部２２からは、ダクト２９の入口端部に向かって接続チャネル４７が分岐する。チャネル４７の断面は、部分２０，４１によって画成される。チャネル４７の通路断面は、ダクト２９よりも遥かに幅広なものである。
【００１９】
軸２６の自由端部は、開口部２７を形成する弁座５１において閉鎖位置に配置される円錐状に尖ったクロージャ部材を弁本体５０として形成する。容器３がカバー４を変形させることなく圧縮され、チャンバ１１，１２に圧力が掛けられると、弁４３は、その閉鎖位置に固定される。チャンバ１２からは、媒体が連続的に手段１９，２２，４７，２９を介して、クロージャ部材５０によって閉鎖されないノズルダクト８の内側端部に向かって流れ、そのダクトを介してクロージャ部材５０の外周に沿って外部へ流出する。前記部材５０は、ダクト長さの一部の上においてその先端によってノズルダクトの中へ突出しているからである。それと同時に、媒体が、チャンバ１１からも開口部３９を介して、弁１０によって未だに閉鎖されている圧力帯域３８の中へ流入する。その圧力は、部材５０の開放を引き起こす。当該媒体は、圧力帯域３８からダクト２８を介して開口部２７の中へ流入することが可能になり、そこで、既にそこに流れ込んでいた空気と混ざり合い、その後、ノズル８から流れ出る。開放位置において、部材５０は、弁座５１と共に環状のノズル開口部２７を形成するものであり、その開口部の最大幅は、最大でも開口部８と同じ大きさである。
【００２０】
容器３が手動で圧力を軽減され、チャンバ１１，１２，３８内における圧力が減少するや否や、弁１０は閉鎖するが、媒体は、それでもなおチャンバ１２から開口部８を介して流出することが可能であり、清掃作用を発揮することも可能になる。弁４３が圧力従属的な様式で開放するや否や、空気がチャンバ１２の中に吸い込まれる。チャンバ１１は、気泡を免れた様式で常に完全に媒体を充填されていることが可能であり、完全に、即ち、ケーシング２，３のバッグ４６が完全に充填されるまで、完全に空にされてしまうこともまた可能である。
【００２１】
装置５は、スナップ接続部４８によって部分４に対して固定される。プレート２０の外側縁部は、カバー４の内周における対向部材の中に固定されることになるスナップ作用部材を形成する。カバー４は、プレート２０及びネック１９を接続部１６，１７の端面及び壁部４１の間に固定するようにして、対応するスナップ接続部４９によって容器３の上に固定される。部材２１は、スナップ接続によって、接続部１６の内周の中に嵌合する。説明されたすべての構成要素は、部分４６を例外として、プラスチックで形成されるものであり、本来的に安定している。手段１６，１８，３０，３１は、軸線９の中に配置される。チャンバ１１は、接続部１６を介して充填されることも可能である。
【００２２】
図１に拠れば、スリーブ３６は、部分３７から内側方向に突出する。図２に拠れば、それは、部分３７の球状に湾曲した内側に関しては突出するものではない。部材２１内への挿入によって、その装置３０は、装置５の部分を形成することになる。図３に拠れば、スリーブ３６は、ジャケット３４の外周の上における部分と係合するものであり、ジャケット３３，３４の間で半径方向において固定される。図２及び図３に拠れば、部分３３は、最大でもスリーブ３６の外側前面まで外側に向かって突出しているだけである。
【００２３】
図４では、端から端まで一定しているダクト２８の通路断面は、ダクト２９のものより遥かに大きい。そのジャケット３３は、環状突出部によって接続部１６のショルダ部分に突き当たる。その部材５０は、ノズルダクト８の内側端部及びダクト２９の半径方向部分の内側端部を閉鎖するものでもある。接続部１６，１７の間における内側の間隙は、それらの個別的な幅よりも遥かに小さい。
【００２４】
その帯域３２は、ジャケット３４内において半径方向間隙を備えて配置されるカップ状のベローズ３７又はジャケットによって画成されるものであり、その開放端部は、底部３５の上において持上げ可能に支持されるスリーブ３６を形成する。そのもう一方の端部は、単一断片として円盤状プランジャ５２の中へ進入するものであり、そのプランジャからは、軸ニードル２６が、単一断片として突き出していて、ジャケット３４の上における密閉リップと共に摺動する。従って、ジャケット２７，３４の間には、チャンバ１１，１２からの媒体に関して常に密閉様式で封鎖されるように成した、更なる環状帯域が画成される。
【００２５】
図５及び図６に拠れば、コア２５ばかりでなく、ジャケット３３もまた、装置５，２０の単一断片要素である。部分３３は、図１に従った部材２１の機能を引き受けるものであり、その幅が接続部１７のものより遥かに小さいように成した接続部１６の中へスナップ接続によって固定される。ダクト２８は、流れ方向においては、鋭角的な様式でテーパ状に形成され、ほぼ等しい幅のスリーブ３３，２５の長さの大部分においては、後者又は支持体２０によってのみ画成される。弁軸２６は、完全に接続部１６内にある装置１８を設けられ、その長さの一部を受容するものであるに過ぎない。
【００２６】
ケーシング３１は、独立した単一断片要素によって形成され、当該要素は、方向４０に対向して装着することによって軸２５の外側の幅を縮小した端部に対して固定され、部分３６，３７，５２ばかりでなく、ダクト２９のための更なる弁本体５３をも内包する。スリーブ３６は、固定的様式で軸２５の縮径部分に装着され、そのスリーブ状の密閉リップ５３が密閉様式でジャケット２３の上において摺動するように成したベローズ３７に対して直接に接続される。リップ５３と同様に、軸２６は、方向４０に突出する。それは、部材５３によって取り囲まれ、更に、後者の中において、前壁部２４の上流向きのスリーブ突出部によっても取り囲まれる。スリーブ３７の中には、軸２５の更に縮径した端部が、ほぼプランジャ５２の前壁部まで突出する。ダクト２８は、この端部突出部を取り囲むように成したチャンバ３２の中へ配給する。プランジャ５２の前壁部は、チャンバ３２をチャンバ３８に対して接続する中間チャネル５４によって横断され、そのチャンバ３８は、プランジャ５２の内側、スリーブ突出部及び軸２６によって画成される。チャネル５４は、軸２６に沿った溝の形態で延長される。
【００２７】
媒体が圧力を掛けられてダクト２８を介してチャンバ３２の中へ流入すると、それは、そこからチャネル５４を介してチャンバ３８の中へ進入するので、制御プランジャ５２は、バネ３７の事前張力を伴って、方向４０に逆行して接続部６及び軸２５に関して移動される。密閉リップ５３は、ジャケット２３の内周における凹み即ち溝２７の近傍へ摺動し、結果として、ダクト２９とチャンバ３８の間の線接続が開かれる。ガスは、開口部２７を介してチャンバ３８の中へ流入し、開いた部材５０を越えて媒体を通過させるので、それは混合された媒体空気流の形態で吐出される。弁１０の開放は、弁２７，５３の開放の直前に起こり得るものである。部材５０は、方向４０において、部材５３よりも突出している。手動操作の力から自由になった後、部材５０，５３は、バネ３７の張力によってそれらの閉鎖位置へ同時に復帰する。
【００２８】
接続部６及び／又は入口４４は、取外し可能な保護体即ちキャップ状のカバー５５によって外側を覆われることが可能である。後者は、接続部６のために狭く適応されて開口部８を閉鎖するカバー・スリーブ５６を有する。その自由端部の近傍において、それは、弾性スナップ接続によって軸方向に固定される様式で接続部６の中に係止される。入口４４のための更なる閉鎖体５７は、閉鎖体５６から独立し且つそこから離間されるようにしてカバー壁部の内側から自由に突出し、開口部４４の中に嵌合する。ニードル５７は、チャンバ１１，１２の圧力補正のために弁４３を僅かに開いて維持することも可能である。
【００２９】
図７に拠れば、コア部分２５は、開口部８における媒体の流れを制御する。スリーブ２５は、残りの材料に比べて遥かに弾力性が高い材料で形成される。媒体の圧力下において、それは、方向４０における部材２，４又は部材５０に関して弁座５１と共に開放運動を実行し、弁１０を開放する。これは、コア２５の弾力的な長手方向の伸延によってのみ起こり得ることであり、或いはコア２５がバネによって運動可能に装着される故に起こることが可能である。コア２５の支持体５８は、コア２５などと共に単一断片であるプレート状、又は軸線９に直交して直角を為す円盤状のものであり、後者は、装置５又は支持体２０から分離して構成される。後者の装置５又は支持体２０は、スナップ接続によって固定される支持体５８又は付随の装置６０を凹みの中に受容する。支持体５８は、円板バネの形態で軸線９の方向において変形される。
【００３０】
コア２５の外側端部２７は、その外周において鈍角の円錐状に構成される。この円錐状の端部は、離間する間隙を備えて、壁部２４の相補的な内側の円錐形に対面する。この内側円錐形は、その最も狭い突端によって端部ダクト８に対して直接に接続される。弁座５１及び部材５０は、それに比べて同じ程度に大きいか又は幾分か鋭角的なテーパ角度を有する。その軸方向運動において、弁座５１は、部材５０から持ち上がり、部分２５の端壁部が壁部２４に突き当たる。軸方向チャネル５９は、ダクト２９を端壁部の間の間隙に接続する。チャネル５９は、ジャケット２３の内周における少なくとも１本の溝によって排他的に形成されることが可能であり、コア２５の階段状縮径端部の外周に関して開放溝の長手方向側面に沿って画成され、媒体の加速又は乱流を導くことになる。
【００３１】
コア２６は、例えば装置５，２０との単一断片的接続によって、剛直に装着されることが可能である。この接続は、舌状部、膜組織などの形態にある弾性部分３７を形成することも可能であり、ほぼプレート２０の平面内に配置され得ることになる。部材２１の内部において、部分３７は、媒体のための通路を備えた前壁部を形成する。支持体５８は、前記の前壁部及び壁部４１の間で軸方向に固定される。ダクト２８は、流れ方向において弁座５１まで連続的に円錐状に狭められる。
【００３２】
閉鎖位置に対する弁座５１の弾力性は、吐出操作の開始時には、初めに大量の空気が開口部８の中へ流れ込み、続いて、この空気流の同時減少を伴って媒体の流れが始まり、その終了に続いて、空気流が再び増大されるようにして、生起されることも可能である。
【００３３】
図１から図７のすべての実施例は、組合せられることが可能である。説明されたすべての特徴は、記述された通りに正確に設けられ、或いは記述されたことに実質的にのみ従って設けられることが可能であり、各々の事例において説明された機能は、その他の部材によっても実行され得るものである。単一断片として構成された部材は、固定的様式で相互に接続される独立した部分であることも可能である。
【図面の簡単な説明】
【図１】一部断面で示すディスペンサである。
【図２】修正された構造における図１のディスペンサの組立体装置である。
【図３】図２に対応する図面で示すもう１つの実施例である。
【図４】修正された構造ではあるが、図１の細部を示す。
【図５】図１に対応する図面で示すディスペンサのもう１つの実施例である。
【図６】図５の拡大断面図である。
【図７】一部断面で示すもう１つの実施例である。
【符号の説明】
１    ディスペンサ
２    ベース
３    容器
４    カバー
５    支持体装置
６    接続部
７    媒体出口
８    出口ポート
９    軸線
１０  弁
１１，１２  チャンバ
１３  ジャケット
１４  閉鎖底部
１５  遮断カバー壁部
１６，１７  接続部
１８  制御装置
１９  中空ネック
２０  プレート
２１，２２  固定手段
２３  ジャケット
２４  前壁部
２５  スリーブ
２６  コア軸
２７  開口部
２８  ダクト
２９  出口ダクト
３０  ケーシング
３１  制御ケーシング
３３，３４，３５  壁部
３６  保持部
３７  中間部分
３８，３９  チャネル
４０  流れ方向
４１  壁部
４２  ジャケット
４３  入口弁
４４  入口
４５  弁本体
４６  バッグ
４７  チャネル
４８  スナップ接続部
４９  スナップ接続部
５０  クロージャ部材
５２  プランジャ
５３  密閉リップ
５４  チャネル
５５  カバー
５６  カバー・スリーブ
５７  閉鎖体
５８  支持体
５９  チャネル
６０  装置
【図１】
0004100521.tif 000002
【図２】
0004100521.tif 000003
【図３】
0004100521.tif 000004
【図４】
0004100521.tif 000005
【図５】
0004100521.tif 000006
【図６】
0004100521.tif 000007
【図７】
0004100521.tif 000008